(57)【要約】      （修正有）【課題】ノズルを保持した使用者が、一人で操作する場合でも安全に操作できるように、消火栓装置の遠方からでも消火栓弁を開放操作することができる消火栓装置を提供する。【解決手段】ノズル４に消火栓弁２を操作するための操作部と、操作部の操作に基づき消火栓弁開放信号を無線送信する送信部とを設け、また、消火栓箱１０に消火栓開放信号を受信する受信部と、消火栓開放信号に基づき消火栓弁２を開放制御する制御部１２とを設け、無線信号によって消火栓弁２を開放操作できるようにした。【選択図】図１
2018118100.tif 000002
【特許請求の範囲】
【請求項１】
トンネル内に固定され、前面に扉を備えた消火栓箱と、
前記消火栓箱内に収納されたホースと、
前記ホースの一端に接続されたノズルと、
前記ホースの一次側に備えられ、常時は閉で開操作により水をホースに供給する消火栓弁とを備えた消火栓装置であって、
前記ノズルが前記消火栓弁を操作する操作部と、
前記操作部の操作に基づき消火栓弁開放信号を無線送信するノズル送信部とを備え、
前記消火栓箱に前記消火栓弁開放信号を受信する受信部と、
前記消火栓弁開放信号に基づき前記消火栓弁を開放制御する制御部とを備え、
前記扉を開放し、前記ノズルおよび前記ホースを引き出す操作の間に前記受信部が受信動作を開始するトリガを設けたことを特徴とする消火栓装置。
【請求項２】
トンネル内に固定され、前面に扉を備えた消火栓箱と、
前記消火栓箱内に収納されたホースと、
前記ホースの一端に接続されたノズルと、
前記ホースの一次側に備えられ、常時は閉で開操作により水をホースに供給する消火栓弁とを備えた消火栓装置であって、
前記ノズルが前記消火栓弁を操作する操作部と、
前記操作部の操作に基づき消火栓弁開放信号を無線送信するノズル送信部とを備え、
前記消火栓弁に前記消火栓弁開放信号を受信する受信部と、
前記消火栓弁開放信号に基づき前記消火栓弁を開放制御する制御部とを備え
前記扉を開放し、前記ノズルおよび前記ホースを引き出す操作の間に前記受信部が受信動作を開始するトリガを設けたことを特徴とする消火栓装置。
【請求項３】
トンネル内に固定され、前面に扉を備えた消火栓箱と、
前記消火栓箱内に収納されたホースと、
前記ホースの一端に接続されたノズルと、
前記ホースの一次側に備えられ、常時は閉で開操作により水をホースに供給する消火栓弁とを備えた消火栓装置であって、
前記ノズルが前記消火栓弁を操作する操作部と、
前記操作部の操作に基づき消火栓弁開放信号を無線送信するノズル送信部とを備え、
前記消火栓箱に前記消火栓弁開放信号を受信する受信部と、
前記消火栓弁開放信号に基づき前記消火栓弁を開放制御する制御部とを備え、
前記ノズルが自身のアドレスを記憶するノズル記憶部を備え、
前記制御部が前記ホースによって接続された前記ノズルのアドレスを記憶する記憶部を備え、
前記操作部が操作されると、前記ノズル送信部は前記ノズル記憶部に記憶した前記アドレスを無線送信し、前記制御部は前記受信部が受信した前記アドレスが、前記記憶部に記憶した前記ノズルのアドレスと一致したとき、前記消火栓弁を開放することを特徴とした消火栓装置。
【請求項４】
トンネル内に固定され、前面に扉を備えた消火栓箱と、
前記消火栓箱内に収納されたホースと、
前記ホースの一端に接続されたノズルと、
前記ホースの一次側に備えられ、常時は閉で開操作により水をホースに供給する消火栓弁とを備えた消火栓装置であって、
前記ノズルが前記消火栓弁を操作する操作部と、
前記操作部の操作に基づき消火栓弁開放信号を無線送信するノズル送信部とを備え、
前記消火栓弁に前記消火栓弁開放信号を受信する受信部と、
前記消火栓弁開放信号に基づき前記消火栓弁を開放制御する制御部とを備え、
前記ノズルが自身のアドレスを記憶するノズル記憶部を備え、
前記制御部が前記ホースによって接続された前記ノズルのアドレスを記憶する記憶部を備え、
前記操作部が操作されると、前記ノズル送信部は前記ノズル記憶部に記憶した前記アドレスを無線送信し、前記制御部は前記受信部が受信した前記アドレスが、前記記憶部に記憶した前記ノズルのアドレスと一致したとき、前記消火栓弁を開放することを特徴とした消火栓装置。
【請求項５】
前記消火栓箱が前記ノズルを保持するノズルホルダを備え、
前記トリガが、前記ノズルが前記ノズルホルダから取り外すことであり、
前記トリガにより、前記ノズルが前記ノズルホルダから取り外された前記消火栓装置の前記受信部のみが受信動作を開始することを特徴とする請求項１または２に記載の消火栓装置。
【請求項６】
前記ノズルが前記ノズル送信部に電源を供給する充電池を備え、
前記ノズルホルダが前記充電池を充電する充電部を備え、
前記ノズルホルダが前記ノズルを保持した状態で、前記充電部が前記充電池を充電することを特徴とする請求項５に記載の消火栓装置。
【請求項７】
前記ノズルが前記ノズル送信部に電源を供給する電池を備え、
前記ノズルホルダが前記電池の電池残量を検出して表示する電池残量表示部を備え、
前記ノズルホルダが前記ノズルを保持した状態で、前記電池残量を表示することを特徴とする請求項５に記載の消火栓装置。
【発明の詳細な説明】
【技術分野】
【０００１】
本発明は、例えば高速自動車道路等のトンネルに設置される消火栓装置に関するものである。
【背景技術】
【０００２】
例えば特許文献１に記載された従来の消火栓装置では、トンネルの壁面に固定された筐体の前面に設けられた消火栓扉を開放し、消火栓扉の内側に保持されているノズルを取り出してホースを引き出し、消火栓扉の内側に設けられた消火栓開閉レバーを操作して、筐体内に設けられた消火栓弁を開放し、加圧水をノズルから放水するようになっている。
【先行技術文献】
【特許文献】
【０００３】
【特許文献１】特開２０１３−２２３４３号公報  しかしながら、特許文献１に記載された従来の消火栓装置は、消火栓装置から遠方で発生した火災に対して、ノズルを保持して消火活動に適した位置へ移動すると消火栓開閉レバーに手が届かないため、二人で操作するか、一人で操作する場合には消火栓開閉レバーを操作してからホースを引き出す必要があった。
【０００４】
一人で操作する場合に、消火栓開閉レバーを先に操作してからホースを引き出そうとすると、ホース内への給水が始まっているために速やかに移動しないとホース内の水量が増加して重くなるだけでなく、移動中にノズルから放水が始まると放水する水の勢いによって、操作者に危険が伴うという課題があった。
【発明の概要】
【発明が解決しようとする課題】
【０００５】
本発明は、上記の課題を解決するためになされたものであり、ノズルを保持した使用者が消火栓装置の遠方から消火栓弁を開放操作することができる消火栓装置を提供することを目的とする。
【課題を解決するための手段】
【０００６】
本発明に係る消火栓装置は、トンネル内に固定され、前面に扉を備えた消火栓箱と、前記消火栓箱内に収納されたホースと、前記ホースの一端に接続されたノズルと、前記ホースの一次側に備えられ、常時は閉で開操作により水をホースに供給する消火栓弁とを備えた消火栓装置であって、前記ノズルが前記消火栓弁を操作する操作部と、前記操作部の操作に基づき消火栓弁開放信号を無線送信するノズル送信部と、前記消火栓箱に前記消火栓弁開放信号を受信する受信部と、前記消火栓弁開放信号に基づき前記消火栓弁を開放制御する制御部とを備え、前記扉を開放し、前記ノズルおよび前記ホースを引き出す操作の間に前記受信部が受信動作を開始するトリガを設けたことを特徴とするものである。
また、本発明に係る消火栓装置は、トンネル内に固定され、前面に扉を備えた消火栓箱と、前記消火栓箱内に収納されたホースと、前記ホースの一端に接続されたノズルと、前記ホースの一次側に備えられ、常時は閉で開操作により水をホースに供給する消火栓弁とを備えた消火栓装置であって、前記ノズルが前記消火栓弁を操作する操作部と、前記操作部の操作に基づき消火栓弁開放信号を無線送信するノズル送信部と、前記消火栓箱に前記消火栓弁開放信号を受信する受信部と、前記消火栓弁開放信号に基づき前記消火栓弁を開放制御する制御部とを備え、前記ノズルが自身のアドレスを記憶するノズル記憶部を備え、前記制御部が前記ホースによって接続された前記ノズルのアドレスを記憶する記憶部を備え、前記操作部が操作されると、前記ノズル送信部は前記ノズル記憶部に記憶した前記アドレスを無線送信し、前記制御部は前記受信部が受信した前記アドレスが、前記記憶部に記憶した前記ノズルのアドレスと一致したとき、前記消火栓弁を開放することを特徴とするものである。
【発明の効果】
【０００７】
本発明によれば、消火栓弁の操作をノズルで行うことができるので、消火栓弁を閉止した状態でノズルとホースを引き出すことができ、火災時にノズルを持って消火活動に適した位置に移動してから消火栓弁を開放することができる。
【図面の簡単な説明】
【０００８】
【図１】本発明の実施の形態１に係る消火栓装置１の一例である。
【図２】消火栓装置１のノズル４の拡大図である。
【図３】本発明の実施の形態２に係る消火栓装置１００の一例である。
【発明を実施するための形態】
【０００９】
＜実施の形態１＞
図１は、本実施の形態１に係る消火栓装置１を示す構成図である。図１は、後述する扉１１を開放し、ノズル４およびホース５を引き出した状態を示している。
【００１０】
消火栓装置１は、例えばトンネル内の壁面等に固定して設置され、前面に開口する扉１１を備えた箱形の消火栓箱１０を備えている。消火栓箱１０は、内部に一端をノズル４に接続したホース５が他端を配管９を介して消火栓弁２の一端側に接続され、消火栓弁２の他端はさらに配管９を介してポンプ３と接続されている。ポンプ３は、水槽８に蓄えられた水の中に挿入されたフート弁３３を備え、ポンプ３起動時にはフート弁３３により水槽８の水を汲み上げ、配管９を介してホース５およびノズル４に加圧送水する。
【００１１】
消火栓箱１０は、図示しないホース収納部を備え、ホース５が巻かれた状態で収納される。ホース５の一端は、ノズル４が接続されており、通常時、ノズル４は、消火栓箱１０の図示しないノズルホルダに保持されている。火災時には、扉１１を開放してノズル４をノズルホルダから取り外し、ホース５を消火栓箱１０から引き出して使用する。
【００１２】
消火栓弁２は、弁体２１および駆動部２４を備え、弁体２１は駆動部２４の動作によって開閉する。通常時弁体２１は閉止している。
また、消火栓箱１０に後述するノズル４のノズル送信部４５から無線送信される消火栓弁開閉信号とアドレスを受信する送受信部１３（受信部に相当）と、消火栓弁開閉信号に基づき駆動部２４を制御して弁体２１を開閉する制御部１２を備え、制御部１２は当該消火栓装置１のノズル４のアドレスを記憶する図示しない記憶部を有している。送受信部１３が消火栓弁開信号（消火栓弁開放信号に相当）とアドレスを受信すると、制御部１２は、記憶部が記憶するアドレスと送受信部１３が受信したアドレスを比較し、一致すると駆動部２４に弁開信号を送信し、駆動部２４を操作して弁体２１を開放するとともに、送受信部１３にポンプ起動信号を送信させる。なお、弁開信号およびポンプ起動信号は有線にて送信してもよいし、無線にて送信してもよい。また、このとき記憶部が記憶するアドレスと送受信部１３が受信したアドレスが一致しないと、消火栓弁開信号を破棄し、消火栓弁２は閉鎖したままにして、ポンプ起動信号も送信しない。
【００１３】
また、送受信部１３がノズル４のノズル送信部４５から無線送信される消火栓弁閉信号とアドレスを受信すると、制御部１２は、記憶部が記憶するアドレスと送受信部１３が受信したアドレスを比較し、一致すると駆動部２４に弁閉信号を送信し、駆動部２４を操作して弁体２１を閉止するとともに、送受信部１３にポンプ停止信号を送信させる。なお、弁閉信号およびポンプ停止信号は有線にて送信してもよいし、無線にて送信してもよい。また、このとき記憶部が記憶するアドレスと送受信部１３が受信したアドレスが一致しないと、消火栓弁閉信号を破棄し、消火栓弁２は開放したままにして、ポンプ停止信号も送信しない。
【００１４】
こうすることで、消火活動中に使用していない消火栓装置１の消火栓弁２が開放したり、消火活動中の消火栓装置１の消火栓弁２が閉止したりといった不具合の発生を防ぐことができる。
【００１５】
なお、ノズルホルダは図示しないノズル検出部を備えており、ノズル４がノズルホルダに保持されている場合には、送受信部１３の電源がオフになっており、送受信動作を行わない。ノズル４をノズルホルダから取り外すと、これをトリガとしてノズル４を取り外した消火栓装置１の送受信部１３の電源がオンとなり、送受信動作を開始するようになっている。
【００１６】
こうすることで、消火活動中に使用していない消火栓装置１の送受信部１３が他の消火栓装置１から発信された消火栓弁開閉信号や違法電波を受信することがないので、火災時に消火栓装置１を使用した時に、使用していない消火栓装置１の消火栓弁２が開放したり、違法電波等によって、非火災時に消火栓弁２が開放したりといった不具合の発生を防ぐことができる。
【００１７】
なお、本実施の形態１では、ノズル４をノズルホルダから取り外すことが送受信部１３の電源がオンとなり送受信動作を開始するトリガとなっているが、これに限定せず、消火栓装置１を使用して消火活動を行う一連の動作の中で扉１１を開放してからノズル４およびホース５を引き出す操作の中にトリガを設けていればよい。例えば、扉１１を開放することや、ホース５を引き出すことをトリガとしてもよい。
【００１８】
また、消火栓箱１０に無線制御開始スイッチを設け、その操作をトリガとしてもよい。
【００１９】
また、本実施の形態１では、使用しているノズル４に水を供給する消火栓弁２のみを動作させる方法として、ノズル送受信部４５が消火栓弁開閉信号とともにアドレスを送信する構成と、ノズル４をノズルホルダから取り外すことにより送受信部１３の電源がオンとなる構成を使用しているが、どちらか一方を使用する構成としてもよい。
【００２０】
ポンプ３は、フート弁配管３４を介してフート弁３３に接続され、水槽８の水を配管９を介して、後述するホース５およびノズル４に加圧送水する。ポンプ３は、ポンプ３を制御するポンプ制御部３２と、送受信部１３から送信されるポンプ制御信号を受信するポンプ制御信号受信部３６を備え、ポンプ制御信号受信部３６がポンプ起動信号を受信すると、ポンプ制御部３２はポンプ３を起動する。
【００２１】
また、ポンプ制御信号受信部３６がポンプ停止信号を受信すると、ポンプ制御部３２はポンプ３を停止する。
【００２２】
なお、送受信部１３がポンプ起動信号およびポンプ停止信号を送信する際に、記憶部に記憶しているノズル４のアドレスも送信する構成としてもよい。この場合、ポンプ制御部３２が図示しないポンプ記憶部を備え、ポンプ起動信号とともに送られてきたアドレスを記憶し、その後、ポンプ停止信号とともに送られてきたアドレスと一致するアドレスを消去するようにすることで、他に使用中の消火栓装置１がある場合には、ポンプ停止信号を受け付けず、使用中に放水が止まってしまうという不具合を防ぐことができる。つまり、ポンプ３は、トンネル内に設置された複数の消火栓装置１に対して、共通して一つ設置されるようにすることができ、かつ、複数の消火栓装置１から同時期に放水することができる。
【００２３】
なお、本実施の形態１では、ポンプ制御部３２がポンプ３の起動と停止を制御しているが、これに限定せず、ポンプ３の起動はポンプ起動信号に基づきポンプ制御部３２が制御するが、ポンプ３の停止は、人がポンプ制御部３２を直接操作することによって停止する構成としてもよい。この場合、送受信部１３は、消火栓弁閉信号を受信してもポンプ停止信号を送信する必要はなく、また、送受信部１３は、アドレスを送信する必要もなく、ポンプ記憶部も不要である。
【００２４】
また、ポンプ３は、ポンプ起動信号に基づき起動する構成としているが、これに限定せず、消火栓弁２が開放することにより消火栓弁２一次側の配管９内の圧力が低下したことを検出して起動する構成としてもよい。この場合、送受信部１３に代えて、受信機能のみを有する図示しない受信部を備えていればよい。
【００２５】
ホース５は、彎曲してもホース径が一定以上を保つ保形ホースで構成されている。
【００２６】
ノズル４について、図２に基づいて説明する。
【００２７】
ノズル４は、所定の圧力で供給された水を所定の放水量と放水形状で放水するための放水口４１を備えている。また、ノズル４は、操作部に相当する消火栓弁開ボタン４３と消火栓弁閉ボタン４４を備え、消火栓弁開ボタン４３と消火栓弁閉ボタン４４を操作すると、それぞれ消火栓弁開信号と消火栓弁閉信号を無線送信するノズル送信部４５を備えている。また、ノズル４は、ノズル送信部４５を制御するノズル制御部４２を備え、ノズル制御部４２は、自身のアドレスを記憶する図示しないノズル記憶部を備え、消火栓弁開信号と消火栓弁閉信号を無線送信する場合には、自身のアドレスも無線送信する。
【００２８】
なお、消火栓弁開ボタン４３を押す回数（操作部を開操作する回数）によって、ノズル４からの放水量（ポンプ３の送水圧力）を変化させるようにしてもよい。例えば、消火栓弁開ボタン４３を１回押すと、ノズル４からの放水量が１３０Ｌ／ｍｉｎ、２回押すと１６０Ｌ／ｍｉｎ、３回押すと２００Ｌ／ｍｉｎと変化し、４回押すと再び１３０Ｌ／ｍｉｎと変化させる。この場合も、消火栓弁開ボタン４３を押す毎に消火栓弁回信号とノズル４が送受信部１３に受信され、送受信部１３からポンプ起動信号が送信される。ポンプ制御部３２は、ポンプ制御信号受信部３６がポンプ起動信号を受信した回数をポンプ記憶部に記憶させ、その回数に応じて放水圧力を変化させる。このとき記憶したポンプ起動信号の受信回数は、ポンプ停止信号を受信した際に消去される。
【００２９】
こうすることで、消火活動中に任意に放水量を代えることができ、火災状況や使用者の体力に併せた水量で放水することができる。
【００３０】
また、ノズル４は、充電池４６を備え、ノズル送信部４５およびノズル記憶部等に電源を供給している。
【００３１】
消火栓箱１０のノズルホルダは、充電池４６を充電する図示しない充電器を備えており、ノズル４をノズルホルダに保持すると充電池４６が充電されるので、使用時に電池切れで使用できないということがない。
【００３２】
なお、ノズル送信部４５およびノズル記憶部等に電源を供給する方法として、充電池４６に限定せず、たとえば乾電池（電池に相当）としてもよい。この場合、ノズルホルダには充電器に変えて電池残量検出部と電池残量を表示する電池残量表示部を備えてもよい。そうすることで、電池残量を確認することができ、電池残量が少なくなったものは電池交換を行うことで、使用時の電池切れを防ぐことができる。
【００３３】
また、乾電池を電源とする場合は、電池残量検出部をノズル４に設けてもよく、この場合、ノズル送信部４５と送受信部１３との間で定期的に通信を行い、電池残量表示部に電池残量の表示を行ってもよい。
【００３４】
また、消火栓装置１は、手動部に相当する手動レバー７を備えており、万が一ノズル４の充電池４６（または乾電池）が残量不足で無線信号による消火栓弁２の操作ができない場合には、手動レバー７によって放水することができる。手動レバー７は、有線にて制御部１２と接続されており、手動レバー７を消火栓弁開放側または、消火栓弁閉止側に操作すると、消火栓装置１の制御部１２は、駆動部２４を制御して弁体２１を開放または閉止するとともに、送受信部１３がポンプ起動信号または、ポンプ停止信号を送信する。
【００３５】
なお、手動部は、レバー形状としているが、これに限定せず、ボタンにより操作するようにしてもよい。
また、手動部は、有線にて制御部１２と接続されているが、これに限定せず、手動部に送信部を設けて、無線にて制御部１２に消火栓弁開閉信号を送信するようにしてもよい。
また、手動部は、電気的に制御部１２を制御して消火栓弁２を開閉する構成としているが、これに限定せず、例えばワイヤーを用いて機械的に消火栓弁２を開閉する構成としてもよい。
【００３６】
次に使用時の動作について説明する。
【００３７】
消火栓装置１は、火災発生時にトンネル内の通行者や消防隊員（以下、使用者とする）などが操作して消火を行う。
【００３８】
火災を発見した使用者は、消火栓箱１０の扉１１を開放し、ノズル４を取り出す。ノズル４をノズルホルダから取り外すと、ノズル４を取り外した消火栓装置１の送受信部１３に電源がオンとなり受信状態となる。
使用者は、ノズル４に接続されたホース５を消火栓箱１０から引き出しながら、火災現場の付近までノズル４を持って移動し、ここで消火栓弁開ボタン４３を押下する。消火栓弁開ボタン４３を押下すると、ノズル制御部４２は、消火栓弁開信号とノズル記憶部に記憶された自身のアドレスとをノズル送信部４５から無線送信する。
このとき、電源がオンになって受信状態となっている送受信部１３は、ノズル４がノズルホルダから外れている消火栓装置１のみであるから、当該消火栓装置１の送受信部１３のみが消火栓弁開信号とアドレスを受信する。制御部１２は、送受信部１３が受信したアドレスが自身の記憶部が記憶するアドレスと一致すると、消火栓弁開信号を受け入れて消火栓弁２を開放する。このとき制御部１２は、送受信部１３にポンプ起動信号を送信させる。なお、送受信部１３が受信したアドレスと記憶部が記憶するアドレスが一致したことを制御部１２が確認しているので、他の消火栓装置１のノズル４が何らかの理由でノズルホルダから外れてしまっていても、使用する消火栓装置１の消火栓弁２のみが開放する。
ポンプ起動信号をポンプ制御信号受信部３６が受信すると、ポンプ制御部３２はポンプ３を起動し、ポンプ３はフート弁３３を介して水槽８の水を配管９に加圧送水する。
【００３９】
配管９に加圧送水された水は、消火栓弁２を通過し、ホース５を介してノズル４に供給される。ノズル４に供給された水は、放水口４１から放水され、使用者はノズル４を操作して火災を消火する。
【００４０】
消火が完了すると、使用者は消火栓弁閉ボタン４４を押下する。消火栓弁閉ボタン４４を押下すると、ノズル制御部４２は、消火栓弁閉信号とノズル記憶部に記憶された自身のアドレスとをノズル送信部４５から無線送信する。
【００４１】
このとき、電源がオンになって受信状態となっている送受信部１３は、ノズル４がノズルホルダから外れている消火栓装置１のみであるから、当該消火栓装置１の送受信部１３のみが消火栓弁閉信号とアドレスを受信する。制御部１２は、送受信部１３が受信したアドレスが自身の記憶部が記憶するアドレスと一致すると、消火栓弁閉信号を受け入れて消火栓弁２が閉止する。このとき制御部１２は、ポンプ停止信号を送信する。なお、送受信部１３が受信したアドレスと記憶部が記憶するアドレスとが一致することを制御部１２が確認しているので、他の消火栓装置１を同時に使用している場合でも、使用を終了する消火栓装置１の消火栓弁２のみが閉止する。
ここで、ポンプ制御部３２がポンプ記憶部を備える構成とした場合には、他の消火栓装置１を同時に使用していると、ポンプ制御部３２は、送信されてきたアドレスと一致するポンプ記憶部に記憶しているアドレスを消去したうえでポンプ停止信号を破棄し、ポンプ記憶部に記憶されたアドレスが全て消去されたときに受信したポンプ停止信号でのみポンプ３を停止する。
【００４２】
また、ポンプ３の停止を、人がポンプ制御部３２を直接操作して停止する構成とした場合、消火栓弁２が閉止して放水が停止してもポンプ３は起動したままであり、人がポンプ制御部３２を操作してポンプ３を停止させる。
＜実施の形態２＞
図３は、本実施の形態２に係る消火栓装置１００を示す構成図である。図３は、扉１１を開放し、ノズル４およびホース５を引き出した状態を示している。
【００４３】
本実施の形態２の消火栓装置１００は、実施の形態１の消火栓装置１の消火栓箱１０の制御部１２および送受信部１３に代えて、消火栓弁２に制御部２２および送受信部２３を備えており、その他の部品については共通の部品を使用し、符号も同じものを使用している。なお、この場合、制御部２２は図示しない記憶部を有し、また、送受信部２３と駆動部２４は有線にて電気的に接続される。また、消火栓弁２は、消火栓箱１０の外部に配置され配管９を介して、ホース５と接続される。
＜実施の形態３＞
本実施の形態３は、実施の形態１の消火栓装置１および実施の形態２の消火栓装置１００の消火栓弁開ボタン４３および消火栓弁閉ボタン４４に変えて、放水ボタン４７を備えており、その他の部品については共通の部品を使用し、符号も同じものを使用している。
【００４４】
放水ボタン４７は、ノンロックスイッチであり、ボタンを押下している間のみ放水する構成となっており、使用者が放水開始時に放水ボタン４７を押下すると、ノズル制御部４２は、ノズル送信部４５に消火栓弁開信号とアドレスを送信させる。
【００４５】
放水停止時には、放水ボタン４７を離すと、ノズル制御部４２は、ノズル送信部４５に消火栓弁閉信号とアドレスを送信させる。
【００４６】
こうすることで、放水開始および停止をひとつのボタンで操作することができ、ノズル４の形状を例えばピストル型とした場合には、放水ボタン４７をトリガー形状とすることで、ノズル４を手に持った状態での操作性を向上することができる。
【００４７】
なお、放水ボタン４７に変えて、ロックスイッチである放水ボタン４８としてもよく、この場合、放水ボタン４８を押下してロックした状態を保持しているあいだ放水し、再度放水ボタン４８を押下してロック解除すると放水を停止する。
【００４８】
なお、実施の形態１乃至３では、アドレスの授受により相互関係を認識しているが、これに限定せず、相互に認識できる情報（機器ＩＤなど）を用いて制御を行ってもよい。
【符号の説明】
【００４９】
１  消火栓装置、２  消火栓弁、３  ポンプ、４  ノズル、５  ホース、７  手動レバー、８  水槽、９  配管、１０  消火栓箱、１１  扉、１２  制御部、１３  送受信部、２１  弁体、２２  制御部、２３  送受信部、２４  駆動部、３２  ポンプ制御部、３３  フート弁、３４  フート弁配管、３６  ポンプ制御信号受信部、４１  放水口、４２  ノズル制御部、４３  消火栓弁開ボタン、４４  消火栓弁閉ボタン、４５  ノズル送信部、４６  充電池、４７  放水ボタン、４８  放水ボタン、１００  消火栓装置。
【図１】
2018118100.tif 000003
【図２】
2018118100.tif 000004
【図３】
2018118100.tif 000005